(57)【特許請求の範囲】
【請求項１】
磁性体入力部材を用いて描画を行うための装置であって、
描画面を構成する複数の収納部と、前記描画面に接近及び離反が可能なように前記収納部内に収納された磁性体含有の第１材料とを有する入力部と、
前記入力部の前記描画面と反対側に設けられ、前記第１材料の移動にしたがって生じる静電容量の変化を検出するための静電容量センサと、
前記静電容量センサからの検出量に基づいて描画内容を取得する制御部と、
前記描画内容を記憶する記憶部と、
を備えた入力装置。
【請求項２】
前記静電容量センサは、前記複数のセルに対応した複数の検出部を有する、請求項１に記載の入力装置。
【請求項３】
前記静電容量センサは、複数の座標における静電容量の変化を検出することができ、
前記制御部は、前記座標における静電容量の変化に基づいて前記セルの描画状態を判断することで、前記描画内容を取得する、請求項１に記載の入力装置。
【請求項４】
前記入力部は、前記複数のセル内に収納され前記第１材料とは異なる色の非磁性及び非導電性の第２材料をさらに有している、請求項１〜３のいずれかに記載の入力装置。
【発明の詳細な説明】
【技術分野】
【０００１】
本発明は、入力装置、特に、磁性体入力部材を用いて描画を行うため入力装置に関する。
【背景技術】
【０００２】
従来、子供の絵描き用の装置として、複数のセルを連結したハニカム構造体と、各セル内に黒色の磁性粉と白色流体とを封入した磁気泳動型表示装置が知られている（例えば、特許文献１を参照。）。この装置の各セルの初期状態では、磁性粉はセルの下部に溜まっており、そのためセルは白色に見える。そして、永久磁石を有するペンをハニカム構造の表面に接触させると、当該セル内において磁性粉がセル内を上方に移動する。そして、磁性粉は白色流体によって上方位置で支持された状態を続け、その結果、ペンが接触したセルは黒色に見える。このようにして、簡単な操作で描画が可能となる。
【０００３】
なお、描画内容を消去するためには、永久磁石をハニカム構造体の裏側を通過させることで、磁性粉をセル内で下方に移動させる。
【発明の概要】
【発明が解決しようとする課題】
【０００４】
磁気泳動型表示装置では、簡単に描画できるというメリットがあるが、描画内容を保存できないという問題がある。しかし、ユーザーからは、描画した内容を保存して将来再生できるようにしてほしいという要望が多くあった。
【０００５】
本発明の課題は、簡単な装置で、描画した内容を保存及び再生可能とすることにある。
【課題を解決するための手段】
【０００６】
以下に、課題を解決するための手段として複数の態様を説明する。これら態様は、必要に応じて任意に組み合せることができる。
【０００７】
本発明の一見地に係る入力装置は、磁性体入力部材を用いて描画を行うための装置であって、入力部と、静電容量センサと、制御部と、記憶部とを備えている。入力部は、描画面を構成する複数の収納部と、描画面に接近及び離反が可能なように収納部に収納された磁性体含有の第１材料とを有する。静電容量センサは、入力部の描画面と反対側に設けられ、第１材料の移動にしたがって生じる静電容量の変化を検出する。制御部は、静電容量センサからの検出量に基づいて、描画内容を取得する。記憶部は、描画内容を記憶する。
【０００８】
この装置では、磁性体入力部材が入力部の特定の収納部に接近又は接触すると、当該収納部内の第１材料が描画面に接近するように移動する。静電容量センサは、第１材料の移動によって生じた静電容量の変化を検出する。制御部は静電容量センサからの検出量に基づいて描画内容を取得し、続いて、記憶部は描画内容を記憶する。以上のように描画内容は、記憶部によって保存されるので、再生可能である。
【０００９】
静電容量センサは、複数のセルに対応した複数の検出部を有してもよい。
【００１０】
静電容量センサは、複数の座標における静電容量の変化を検出することができてもよい。制御部は、座標における静電容量の変化に基づいてセルの描画状態を判断することで、描画内容を取得してもよい。
【００１１】
入力部は、複数のセル内に収納され第１材料とは異なる色の非磁性及び非導電性の第２材料をさらに有してもよい。
【発明の効果】
【００１２】
本発明に係る入力装置では、簡単な装置で、描画した内容を保存・再生可能となる。
【図面の簡単な説明】
【００１３】
【図１】第１実施形態における入力装置の概略分解斜視図。
【図２】第１実施形態における入力装置の概略断面図。
【図３】ハニカム構造体の平面図。
【図４】セル内の模式的構成図。
【図５】入力装置の概略断面図（初期画面状態）。
【図６】入力装置の概略断面図（描画状態）。
【図７】ハニカム構造体と静電容量センサの検出素子との関係を示す模式図。
【図８】セルと静電容量センサ（自己容量検出方式）の検出素子との関係を示す模式図。
【図９】セルと静電容量センサ（相互容量検出方式）の検出素子との関係を示す模式図。
【図１０】入力装置の制御構成ブロック図。
【図１１】入力装置の操作制御を示すフローチャート。
【図１２】画像スキャン制御を示すフローチャート。
【図１３】特定のセルに対して描画ペンを近接させた状態を説明するための、ハニカム構造体の平面図。
【図１４】特定のセルに対して描画ペンを近接させた状態を説明するための、検出素子ごとの静電容量検出量の変化を示すグラフ。
【図１５】変形例としての入力装置の概略断面図。
【図１６】第２実施形態における入力装置に用いられる静電容量センサの電極配置の平面図。
【図１７】ハニカム構造体と静電容量センサの電極との関係を示す模式図。
【図１８】ハニカム構造体と静電容量センサの電極との関係を示す模式図。
【図１９】画像スキャン制御を示すフローチャート。
【図２０】特定のセルに対して描画ペンを近接させた状態を説明するための、ハニカム構造体の平面図。
【図２１】特定のセルに対して描画ペンを近接させた状態を説明するための、受信電極の平面図。
【図２２】特定のセルに対して描画ペンを近接させた状態を説明するための、受信電極ごとの静電容量検出量の変化を示すグラフ。
【図２３】第３実施形態における入力装置の概略平面図。
【図２４】第３実施形態における入力装置の概略断面図。
【発明を実施するための形態】
【００１４】
１．第１実施形態
（１）入力装置の機械的構成
図１〜図８を用いて、本発明の一実施形態に係る入力装置１の機械的構成について説明する。入力装置１は、永久磁石を有する入力部材を用いて描画を行うための装置であり、描画内容を保存可能である。
【００１５】
入力装置１は、図１に示すように、主に、透明シート３と、ハニカム構造体５と、静電容量センサ７と、制御基板９とを備えている。透明シート３、ハニカム構造体５、及び静電容量センサ７は、この順番で上から重ねられた平面状部材である。この実施形態では、上記部材は平面視で長方形になっている。また、静電容量センサ７は、ＦＰＣ（Ｆｌｅｘｉｂｌｅ  Ｐｒｉｎｔｅｄ  Ｃｉｒｃｕｉｔ）１１によって制御基板９に接続されている。
【００１６】
なお、図２に示すように、静電容量センサ７及び透明シート３との四辺同士の間には、スペーサ１３が設けられている。スペーサ１３は、ハニカム構造体５に作用する荷重を低減するための部材である。
【００１７】
透明シート３は、透明であればよく、例えば、塩化ビニル、ポリエチレンテレフタレートである。
【００１８】
ハニカム構造体５は、磁気泳動型入力装置であり、図３に示すように、複数のセル５Ａが連結して構成された部材である。ハニカム構造体５は概ね透明の部材からなる。セル５Ａは、平面六角形の形状であり、全体でハニカム構造となっている。ハニカム構造体５は、図４に示すように、図上側の描画面５ａと、図下側の反対側面５ｂとを有している。
【００１９】
各セル５Ａには、図４に示すように、流体１７と、磁性粉１９とが封入されている。流体１７は、例えば白色の非磁性・非導電性材料であり、例えば絶縁性の樹脂又はセラミックからなる。磁性粉１９は、例えば鉄粉であり、必要に応じて黒色にコーティングされている。なお、図４においては各材料は模式的に描かれており、粒子の寸法・比率は実際の物とは異なる。
【００２０】
図４では、磁性粉１９はセル５Ａ内で下側（すなわち、反対側面５ｂ近傍）に位置しており、この場合セル５Ａは白色に見える。一方、磁性粉１９が上側（すなわち、描画面５ａ近傍）に位置した場合には、図３の描画部分２３に示すように、セル５Ａは黒色に見える。
【００２１】
図５は、全てのセル５Ａにおいて、磁性粉１９が下部に配置されている状態を示している。図６は、永久磁石からなる描画ペン２１を１つのセル５Ａの描画面５ａに近づけており、それによって磁性粉１９が当該セル５Ａの上部に移動してそこに留まっている状態を示している。
【００２２】
静電容量センサ７は、透明に作成する場合は、例えばＰＥＴからなるフィルムの上にＩＴＯ（Ｉｎｄｉｕｍ  Ｔｉｎ  Ｏｘｉｄｅ）を用いてセンサを構成する。また、静電容量センサ７は、非透明に作成する場合は、ガラスエポキシ基板などのリジット基板又はＦＰＣなどのフレキシブル基板で構成する。
【００２３】
図７は、ハニカム構造体５のセル５Ａと、静電容量センサ７の検出素子７Ａとの関係を示している。静電容量センサ７の検出素子７Ａは、セル５Ａに一対一で対応しており、さらにセル５Ａと同じ六角形状を有している。静電容量センサ７は、投影容量方式のうちの自己容量検出方法であって、図８にその構造を示している。なお、図７は一実施例であり、静電容量センサの検出素子がセル５Ａと一対一に対応していさえすればよく、検出素子は六角形状ではなく他の形状であってもよい。  図８を用いて、静電容量センサ７の静電容量検出原理について説明する。図８（ａ）に示すように磁性粉１９がセル５Ａの下部にある消去状態では、磁性粉１９と検出素子７Ａの距離（ｄ１）が短くなっている。それに対して、図８（ｂ）に示すように磁性粉１９がセル５Ａの上部にある描画状態では、磁性粉１９と検出素子７Ｂの距離（ｄ２）が長くなっている。したがって、図８（ａ）の状態では検出素子７Ａによって検出される静電容量は大きくなっており、図８（ｂ）の状態では検出素子７Ａによって検出される静電容量は小さくなっている。
【００２４】
図９は、投影容量方式のうちの相互容量検出方法の静電容量センサを示している。この静電容量センサの検出素子７Ｂは、セル５Ａ’に一対一で対応しており、さらにセル５Ａ’と同じ六角形状を有している。各検出素子７Ｂは、送信センサ７Ｃと受信センサ７Ｄとを有している。送信センサ７Ｃと受信センサ７Ｄは、所定の間隔を空けて配置されている。なお、図９は一実施例であり、静電容量センサの検出素子がセル５Ａと一対一に対応していさえすればよく、検出素子は六角形状ではなく他の形状であってもよい。
【００２５】
図９を用いて、静電容量センサ７の静電容量検出原理について説明する。図９（ａ）に示すように磁性粉１９がセル５Ａ’の下部にある消去状態では、磁性粉１９と検出素子７Ｂの距離が短くなっており、つまり導電体である磁性粉１９の影響が大きくなり、その結果送信センサ７Ｃと受信センサ７Ｄとの間の結合容量が少なくなる。それに対して、図９（ｂ）に示すように磁性粉１９がセル５Ａ’の上部にある描画状態では、磁性粉１９と検出素子７Ｂの距離が長くなっており、導電体である磁性粉１９の影響が少なくなり、その結果送信センサ７Ｃと受信センサ７Ｄとの間の結合容量が多くなる。
【００２６】
（２）入力装置の制御構成
図１０を用いて、入力装置１の制御構成を説明する。制御基板９は、制御部２７と、記憶部２９とを備えている。制御部２７は、ＣＰＵ、ＲＡＭ、ＲＯＭ等からなりプログラムを実行するコンピュータを有している。制御部２７には、操作部３１からの入力信号、静電容量センサ７によって検出された静電容量の変化からなる検出信号が入力される。制御部２７は、検出信号を画像データに変換して、記憶部２９に保存する。
【００２７】
記憶部２９は、制御部２７から送信されてきた画像データが保存されるメモリである。記憶部２９は、ハードディスク又はフラッシュメモリであり、好ましくは入力装置１から取り外し可能なメモリである。
【００２８】
操作部３１は、操作者が操作することで、入力装置１に操作信号を入力するための装置である。操作部３１は、電源ボタン３１ａと、準備開始ボタン３１ｂと、画像保存ボタン３１ｃと、消去完了通知ボタン３１ｄと、その他ボタンを有している。準備開始ボタン３１ｂが押されると、画像検出初期値が保存される。画像保存ボタン３１ｃが操作されると、画像スキャン動作が実行される。消去完了通知ボタン３１ｄは、消去後に操作されるボタンであり、それが操作されると一連の画像入力動作が終了する。
【００２９】
通信部５９は、外部の装置と通信するための装置である。制御部２７は、通信部５９を介して記憶部２９に保存された画像データを外部の装置に送信できる。
【００３０】
（３）描画・記録制御動作
図１１を用いて、描画・記録制御動作を説明する。なお、以下の説明において、主な動作主体は制御部２７である。
【００３１】
ステップＳ１では、制御部２７は、準備開始ボタン３１ｂ又は消去完了通知ボタン３１ｄが押されるのを待つ。
【００３２】
ステップＳ２では、制御部２７は、静電容量センサ７からの検出信号に基づいて、静電容量センサ７の各検出素子７Ａの初期値を保存する。
【００３３】
ステップＳ３では、制御部２７は、画像保存ボタン３１ｃが押されるのを待つ。なお、画像保存ボタン３１ｃが押されるのは、操作者が、描画ペン２１を使って入力装置１に描画を行い、描画終了後にハニカム集合体５の表面に描かれた画像を保存したいと思った場合である。
【００３４】
ステップＳ４では、制御部２７は、画像スキャン動作を実行する。画像スキャン動作については後述する。
【００３５】
ステップＳ５では、制御部２７は、画像スキャン動作により得られた全ての検出素子７Ａからの静電容量変化を画像データに変換する。
【００３６】
ステップＳ６では、制御部２７は、画像データを記憶部２９に保存する。
【００３７】
ステップＳ７では、制御部２７は、消去完了通知ボタン３１ｄが押されるのを待ち、その後プロセスはステップＳ１に戻る。なお、通常、消去通知ボタン３１ｄが押されるのは、操作者が図示しない消去手段を用いて入力装置１における画像を消去した後である。消去手段（図示せず）としては、例えば、入力装置１の下面又は上面に永久磁石を用いて磁性粉１９をセル５Ａの下部に移動させるものがある。なお、消去作業後に自動的に消去完了通知ボタンが操作される構成であってもよい。例えば、消去レバーを端まで移動すると消去完了通知ボタンが押されるような構造が考えられる。
【００３８】
（４）画像スキャン制御動作
図１２を用いて、画像スキャン制御動作を説明する。なお、以下の説明において、主な動作主体は制御部２７である。
【００３９】
ステップＳ１１では、制御部２７は、Ｎｏ．ｎ（ｎは自然数）のセル５Ａの静電容量を検出する。最初に検出されるセル５ＡはＮｏ．０である。
【００４０】
ステップＳ１２では、制御部２７は、検出した静電容量の値が初期値に比べて十分に小さい否かを判断する。ＹｅｓであればプロセスはステップＳ１３に移行し、ＮｏであればプロセスはステップＳ１６に移行する。
【００４１】
図１３及び図１４を用いて、各セル５Ａにおいて静電容量がどのように変化しているかを説明する。図１３では、描画ペン２１の先端はセル４１を指している。この場合、図１４に示すように、各セルの静電容量検出量は、描画したタイミングＡにおいて減少する。ただし、セル４１に対応する検出素子４１の静電容量検出量の減少は大きく、それに対して、セル４１の周囲のセル４２〜４６に対応する検出素子４２〜４６の静電容量検出量の減少は小さい。
【００４２】
ステップＳ１３では、制御部２７は、Ｎｏ．ｎのセル５Ａは「描画あり」と判断する。
【００４３】
ステップＳ１６では、制御部２７は、Ｎｏ．ｎのセル５Ａは「描画なし」と判断する。
【００４４】
ステップＳ１３又はステップＳ１６が終了すると、プロセスはステップＳ１４に移行する。ステップＳ１４では、制御部２７はセル５Ａの番号ｎをインクリメントする。
【００４５】
ステップＳ１５では、制御部２７は、番号ｎが最大セル番号を超えたか否かを判断する。Ｙｅｓであれば、プロセスはステップＳ１１に戻る。Ｎｏであればプロセスは終了する。
【００４６】
（５）画像再生方法
操作者は、記憶部２９を画像入力装置１から取り外して、他のコンピュータに接続することで、画像データを画面に表示又はプリンタに印刷できる。また、制御部２７は、通信部５９を介して、画像データを他のコンピュータに送信することもできる。
【００４７】
（６）変形例
図１５を用いて、第１実施形態の変形例を説明する。この場合、ハニカム構造体５と静電容量センサ７との間には、補強シート部材６５が設けられている。補強シート部材６５は、補強用樹脂ボード又はガラスからなる。これにより、入力装置１’の強度が向上している。
【００４８】
２．第２実施形態
（１）入力装置の機械的構成
第２実施形態では、入力装置１の基本的な構成は第１実施形態と同様である。以下、異なる点を中心に説明する。
【００４９】
図１６、図１７及び図１８に示すように、静電容量センサ７’は、投影容量方式の相互容量検出方法を採用している。したがって、静電容量センサ７’は、Ｙ方向に延びる複数の送信センサ３３と、Ｘ方向に延びる複数の受信センサ３５とから構成されている。送信センサ３３と受信センサ３５は、交互に並んで配置され、座標における静電容量の変化を検出可能になっている。なお、図１８に示すように受信センサ３５の位置とセル５Ａの位置は一致していないが、両者の位置関係は予め把握されている。具体的には、１つのセル５Ａには複数の受信センサ３５が重なっているが、当該セル５Ａが描画された場合には容量変化を検出している複数の受信センサ３５に基づいて描画されたセル５Ａを検出するようになっている。
【００５０】
（２）画像スキャン制御動作
図１９を用いて、画像スキャン制御動作を説明する。なお、以下の説明において、主な動作主体は制御部２７である。
【００５１】
ステップＳ２１では、制御部２７は、全座標の静電容量を検出する。
【００５２】
ステップＳ２２では、制御部２７は、特定の座標において検出した静電容量の値が初期値に比べて十分に小さい否かを判断する。ＹｅｓであればプロセスはステップＳ２３に移行し、ＮｏであればプロセスはステップＳ２７に移行する。
【００５３】
ステップＳ２３では、制御部２７は、当該座標は「描画あり」と判断する。
【００５４】
ステップＳ２４では、制御部２７は、描画座標から描画セルを特定する。
【００５５】
ステップＳ２７では、制御部２７は、当該セル５Ａは「描画なし」と判断する。
【００５６】
図２０、図２１及び図２２を用いて、各座標における静電容量の変化及び描画座標から描画セルを特定する方法を説明する。図２０では、描画ペン２１の先端はセル５１を指している。この場合、図２１に示すように、セル５１に最も重なっている面積が大きい受信センサを受信センサａとして、その周囲の受信センサを受信センサｂ〜ｅとする。セルａの次にセル５１に最も多くの面積が重なっている受信センサが受信センサｂである。この場合、図２２に示すように、各セルの静電容量検出量は、描画したタイミングＡにおいて減少する。ただし、受信センサａにおける静電容量検出量の減少が最も大きく、その次に受信センサｂにおける静電容量検出量の減少が大きく、受信センサｃ〜ｇの静電容量検出量の減少は小さい。以上より、制御部２７は、セル５１が描画されたことを知ることができる。
【００５７】
なお、この実施形態では、受信センサｃ〜ｇにおいて検出した静電容量の値が初期値に比べて十分に小さい場合は、それぞれ、セル５７、５２、５３、５４、５５が描画されたと判断される。
【００５８】
ステップＳ２４又はステップＳ２７が終了すると、プロセスはステップＳ２５に移行する。ステップＳ２５では、対象座標を更新する。
【００５９】
ステップＳ２６では、制御部２７は、次座標があるか否かを判断する。Ｙｅｓであれば、プロセスはステップＳ２２に戻る。Ｎｏであればプロセスは終了する。
【００６０】
３．第３実施形態
図２３及び図２４に示すように、入力装置１’’は、筐体６１に装着された描画消去用磁石６３を有している。描画消去用磁石６３は、図に示すように、静電容量センサ７の下方において、ハニカム構造体５及び静電容量センサ７の幅方向に対応して延びており、さらに両部材の長手方向に図示しないスライド機構によって移動可能になっている。描画消去用磁石６３がハニカム構造体５の下方を通過すると、そのときにセル５Ａ内の磁性粉１９が下方に移動する。これにより、静電容量が初期値に戻る。
【００６１】
なお、描画消去用磁石６３は、移動範囲の両端において静電容量センサ７のエリアから外側に離れた位置に配置される。これにより、ハニカム構造体５においてセル５Ａ内の磁性粉１９が描画消去用磁石の影響を受けにくい。特に、描画消去用磁石６３は、静電容量センサ７の縁から１０ｍｍ以上離れていることが好ましい。
【００６２】
４．特徴
上記実施形態は、下記のように表現可能である。
【００６３】
（Ａ）本発明の一見地に係る入力装置１は、描画ペン２１（磁性体入力部材）を用いて描画を行うための装置であって、ハニカム構造体５（入力部）と、静電容量センサ７と、制御部２７と、記憶部２９とを備えている。ハニカム構造体５は、描画面を構成する複数のセル５Ａ（収納部）と、描画面５ａに接近及び離反が可能となるようにセル５Ａに収納された磁性粉１９（第１材料）とを有する。静電容量センサ７は、ハニカム構造体５の描画面５ａと反対側に設けられ、磁性粉１９の移動にしたがって生じる静電容量の変化を検出する。制御部２７は、静電容量センサ７からの検出量に基づいて描画内容を取得する。記憶部２９は、描画内容を記憶する。
【００６４】
この装置では、描画ペン２１がハニカム構造体５の特定のセル５Ａに接近又は接触すると、当該セル５Ａ内の磁性粉１９が描画面５ａに接近するように移動する。静電容量センサ７は、磁性粉１９の移動によって生じた静電容量の変化を検出する。制御部２７は静電容量センサ７からの検出量に基づいて描画内容を取得し、続いて、記憶部２９は描画内容を記憶する。以上のように描画内容は、記憶部２９によって保存されるので、再生可能である。
【００６５】
（Ｂ）第１実施形態では、静電容量センサ７は、複数のセル５Ａに対応した複数の検出素子７Ａ又は７Ｂを有している。
【００６６】
（Ｃ）第２実施形態では、静電容量センサ７’は、複数の座標における静電容量の変化を検出することができる。制御部２７は、座標における静電容量の変化に基づいてセルの描画状態を判断することで、描画内容を取得する。
【００６７】
５．他の実施形態
以上、本発明の実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００６８】
（ａ）前記実施形態ではセル内で移動する材料としては磁性粉が用いられていたが、磁性流体であってもよい。
【００６９】
（ｂ）前記実施形態ではセル内で移動する材料としては鉄粉が用いられていたが、フェライトなどの他の磁性材料であってもよい。
【００７０】
（ｃ）前記実施形態では磁気泳動描画装置としてハニカム構造体を採用していたが、本発明はこの実施形態に限定されない。例えば、透明シートの下部に複数のマイクロカプセルを配置して、マイクロカプセル内に磁性粉及び白色流体を配置してもよい。
【００７１】
（ｄ）前記実施形態ではハニカム構造体が表示用画面を兼用していたが、本発明はこの実施形態に限定されない。例えば、液晶画面パネルをハニカム構造体の描画面側に設けて描画と同時に液晶画面パネルに描画内容を表示させてもよい。この場合は、ハニカム構造体は検出機能だけを実現している。
【００７２】
（ｅ）前記実施形態では磁性粉が黒色で流体が白色あったが、両者とも他の色であってもよいし、描画色は複数あってもよい。
【産業上の利用可能性】
【００７３】
本発明は、磁性体入力部材を用いて描画を行うため入力装置に広く適用できる。
【符号の説明】
【００７４】
１        入力装置
３        透明シート
５        ハニカム構造体（入力部）
５Ａ      セル（収納部）
５ａ      描画面
５ｂ      反対側面
７        静電容量センサ
７Ａ      検出素子
７Ｂ      検出素子
７Ｃ      送信センサ
７Ｄ      受信センサ
９        制御基板
１１      ＦＰＣ
１３      スペーサ
１７      流体（第２材料）
１９      磁性粉（第１材料）
２１      描画ペン
２３      描画部分
２７      制御部
２９      記憶部
３１      操作部
３１ａ    電源ボタン
３１ｂ    準備開始ボタン
３１ｃ    画像保存ボタン
３１ｄ    消去完了通知ボタン
３３      送信センサ
３５      受信センサ
５７      補強シート部材
５９      通信部
６１      筐体
６３      描画消去用磁石
【先行技術文献】
【特許文献】
【００７５】
【特許文献１】特許第３１２６１１９号公報
【図１】
0005486477.tif 000002
【図２】
0005486477.tif 000003
【図３】
0005486477.tif 000004
【図４】
0005486477.tif 000005
【図５】
0005486477.tif 000006
【図６】
0005486477.tif 000007
【図７】
0005486477.tif 000008
【図８】
0005486477.tif 000009
【図９】
0005486477.tif 000010
【図１０】
0005486477.tif 000011
【図１１】
0005486477.tif 000012
【図１２】
0005486477.tif 000013
【図１３】
0005486477.tif 000014
【図１４】
0005486477.tif 000015
【図１５】
0005486477.tif 000016
【図１６】
0005486477.tif 000017
【図１７】
0005486477.tif 000018
【図１８】
0005486477.tif 000019
【図１９】
0005486477.tif 000020
【図２０】
0005486477.tif 000021
【図２１】
0005486477.tif 000022
【図２２】
0005486477.tif 000023
【図２３】
0005486477.tif 000024
【図２４】
0005486477.tif 000025